(57)【要約】【課題】作業スペースをコンパクトにすることができる収納具を提供する。【解決手段】収納具１０は、一端に開口部２１を有し、他端に閉塞した底壁部２２を有し、開口部２１から底壁部２２に向かって形成された周壁部２３を備えた収納体２０と、開口部２１を開閉可能な蓋体９０と、を備える。収納体２０には、スライド溝部５３、６３が配設され、蓋体９０には、スライド溝部５３、６３内を移動可能なスライド軸部９２が配設され、蓋体９０は、スライド軸部９２が、スライド溝部５３、６３内で回動、移動することで、開口部２１を覆う覆い位置と、開口部２１から退避する退避位置と、に移動可能とされ、収納体２０は、蓋体９０が退避位置にある場合に、蓋体９０を底壁部２２に対して略直交して配置可能とする蓋体退避部４０を有し、蓋体退避部４０に、上下方向に沿って形成されたスライド溝部５３、６３が配設される。【選択図】図４
2020142825.tif 000002
【特許請求の範囲】
【請求項１】
一端に開口部を有し、他端に閉塞した底壁部を有し、前記開口部から前記底壁部に向かって形成された周壁部を備えた収納体と、前記開口部を開閉可能な蓋体と、を備え、
前記収納体には、スライド溝部が配設され、
前記蓋体には、前記スライド溝部内を移動可能なスライド軸部が配設され、
前記蓋体は、前記スライド軸部が、前記スライド溝部内で回動、移動することで、前記開口部を覆う覆い位置と、前記開口部から退避する退避位置と、に移動可能とされ、
前記収納体は、前記蓋体が前記退避位置にある場合に、前記蓋体を前記底壁部に対して略直交して配置可能とする蓋体退避部を有し、
前記蓋体退避部に、上下方向に沿って形成された前記スライド溝部が配設されることを特徴とする収納具。
【請求項２】
前記蓋体退避部を含む前記収納体には、前記蓋体の移動を規制する蓋体規制手段が配設されることを特徴とする請求項１記載の収納具。
【請求項３】
請求項１又は２記載の他の収納具を載置可能とされ、前記他の収納具が載置されたときに、前記他の収納具の移動を規制する収納具規制手段が配設されていることを特徴とする請求項１又は２記載の収納具。
【請求項４】
前記収納体内の空間を区画する仕切板を備え、前記仕切板には、上端から下端に向かって切り欠いて形成された切欠部が配設されていることを特徴とする請求項１、２又は３記載の収納具。
【請求項５】
前記収納体は、透明な部材で形成され、前記収納体内には表示体を配置可能な表示体配置部が配設されていることを特徴とする請求項１、２、３又は４記載の収納具。
【発明の詳細な説明】
【技術分野】
【０００１】
本発明は、被収納物を収納可能な収納具に関するものである。
【背景技術】
【０００２】
従来の収納具（与薬管理具）として、特許文献１に記載されるものがあった。これによれば、直方体状のトレイ容器と、該トレイ容器の一端にヒンジ部を介して開閉可能に連結された、天板を兼ねた蓋とを備えている。トレイ容器の前面には、爪が形成されており、蓋の自由端には、爪に着脱可能に係合するフックが形成されていた（段落００４３、図６参照）。
【０００３】
これにより、与薬作業者の労力を軽減しつつ、それぞれの与薬対象者の薬の種類や量や飲む時間帯などを間違えないようにし、かつ、薬が切れてしまわないようにすることを可能としていた。
【先行技術文献】
【特許文献】
【０００４】
【特許文献１】特許第６１１３３４０号公報
【発明の概要】
【発明が解決しようとする課題】
【０００５】
例えば、調剤薬局では、１分包化（分包紙に１回分の薬をまとめてパック）された薬を、服用日、服用時間帯や、グループ毎に分けて入れる作業が行われるが、上記の収納具では、１分包化された薬を入れるために蓋を開けると、蓋がトレイ容器の隣に位置することになり、作業スペースが平面視において二倍となるので、作業スペースをコンパクトにすることが望まれていた。
【０００６】
本発明は、上記事情に鑑み、作業スペースをコンパクトにすることができる収納具を提供するものである。
【課題を解決するための手段】
【０００７】
請求項１記載の発明では、一端に開口部を有し、他端に閉塞した底壁部を有し、前記開口部から前記底壁部に向かって形成された周壁部を備えた収納体と、前記開口部を開閉可能な蓋体と、を備え、
前記収納体には、スライド溝部が配設され、
前記蓋体には、前記スライド溝部内を移動可能なスライド軸部が配設され、
前記蓋体は、前記スライド軸部が、前記スライド溝部内で回動、移動することで、前記開口部を覆う覆い位置と、前記開口部から退避する退避位置と、に移動可能とされ、
前記収納体は、前記蓋体が前記退避位置にある場合に、前記蓋体を前記底壁部に対して略直交して配置可能とする蓋体退避部を有し、
前記蓋体退避部に、上下方向に沿って形成された前記スライド溝部が配設される。
【０００８】
これによれば、蓋体退避部に配設されるスライド溝部内でスライド軸部が、回動、移動することで、蓋体を開口部から退避させるとともに、蓋体を底壁部に対して略直交して配置することが可能となるため、例えば、調剤作業を行うときに、平面視における作業スペースをコンパクトにすることができる。
【０００９】
また、前記蓋体退避部を含む前記収納体には、前記蓋体の移動を規制する蓋体規制手段が配設される。
【００１０】
これによれば、蓋体規制手段により蓋体の移動を規制できるため、蓋体の移動により作業が妨げられることをなくすことができる。
【００１１】
また、請求項１又は２記載の他の収納具を載置可能とされ、前記他の収納具が載置されたときに、前記他の収納具の移動を規制する収納具規制手段が配設されている。
【００１２】
これによれば、収納具を縦方向に重ね合わせて置いたときに、収納具の移動が規制されるため、結束部材を用いることなく、収納具を重ね置きして搬送することが可能となる。
【００１３】
また、前記収納体内の空間を区画する仕切板を備え、前記仕切板には、上端から下端に向かって切り欠いて形成された切欠部が配設されている
これによれば、被収納物を収納しているときに、切欠部により、仕切板から被収納物を露出させるとともに、被収納物を取り出すときに仕切板に指が当たることを抑制して、被収納物を取り出す作業をしやすくすることができる。
【００１４】
また、前記収納体は、透明な部材で形成され、前記収納体内には表示体を配置可能な表示体配置部が配設されている。
【００１５】
これによれば、表示体を交換することで、収納体に印刷を施すことなく、表示の変更要求にフレキシブルに対応することが可能となる。
【図面の簡単な説明】
【００１６】
【図１】本発明における一実施形態の収納具の蓋体が覆い位置にあるときの左前側からみた斜視図である。
【図２】同実施形態の蓋体が覆い位置にあるときの左後ろ側からみた斜視図である。
【図３】同実施形態の蓋体が退避位置にあるときの右前側からみた斜視図である。
【図４】同実施形態の蓋体が退避位置にあるときの左後ろ側からみた斜視図である。
【図５】同実施形態の蓋体が退避位置にあるときの左側面図である。
【図６】同実施形態の蓋体が覆い位置にあるときの左側面図である。
【図７】調剤作業を行うときの使用状態の説明図である。
【図８】収納具を重ね合わせた状態の説明図である。
【発明を実施するための形態】
【００１７】
本発明における収納具の一実施形態を図面に基づいて説明する。以下の説明では、各図面に付される矢印の、Ｆを前、Ｂを後ろ、Ｒを右、Ｌを左、Ｕを上、Ｄを下、方向とする。
【００１８】
本実施形態では、被収納物として１分包化（分包紙に１回分の薬Ｍをまとめてパック）された薬Ｍが収納される調剤用の収納具１０として適用する場合について説明する。
【００１９】
収納具１０は、図１〜６に示すように、収納体２０と、蓋体９０と、を備えている。
【００２０】
収納体２０は、図１〜６に示すように、自立可能な剛性を有した透明な合成樹脂（ポリプロピレン）で形成され、一端（上端）が開放する開口部２１を有し、他端（下端）に閉塞した底壁部２２を有し、開口部２１から底壁部２２に向かって形成された周壁部２３を備え、外形形状が、左右方向が長い直方体状の箱状に形成されている。
【００２１】
周壁部２３は、略矩形板状に形成された、前壁部２４と、後壁部２５と、左壁部２６と、右壁部２７と、を有している。
【００２２】
前壁部２４の上端部には、前側に延びて蓋体９０を受け止め可能な平坦面を有する受止部２４ａが配設されている。前壁部２４の受止部２４ａの前端部には、上方に延びる規制壁部２４ｂが配設されている。規制壁部２４ｂの左右方向における中央部分は、切り欠かれた切欠部２４ｃを有し、切欠部２４ｃに後述する蓋体９０の係止片部９３を配置可能とされている。
【００２３】
受止部２４ａ、規制壁部２４ｂは、左端部において左壁部２６の前側の上端部と連設され、右端部において右壁部２７の前側の上端部と連設されている。
【００２４】
後壁部２５の上端部には、後側に延びて蓋体９０を受け止め可能な平坦面を有する受止部２５ａが配設されている。
【００２５】
蓋体９０が、収納体２０を覆っている覆い位置にある状態における、蓋体９０の前後方向の長さは、後壁部２５の上下方向の長さより長く形成されている。
【００２６】
収納体２０の内の左側には、左壁部２６と対向するとともに、前壁部２４から後壁部２５まで架け渡されて形成された表示体配置壁部２８が配設されている。表示体配置壁部２８は、上端から下端に向かう略半円状に切り欠かれた切欠部２８ａを有している。
【００２７】
表示体配置壁部２８と、前壁部２４と、後壁部２５と、で囲まれた領域が、表示体配置部２９とされ、表示体配置部２９内に表示体１００が配置可能とされている。
【００２８】
収納体２０の前壁部２４及び後壁部２５の内面には、長リブ３０と、長リブ３０より長さが短い短リブ３１と、が上下方向に沿って配設されている。長リブ３０と短リブ３１とは、左右方向において交互に配されている。長リブ３０と短リブ３１は、後述する仕切板３５の幅広部３５ａとを係合させるときに、位置を視認しやすくするものである。
【００２９】
収納体２０の後側には、蓋体退避部４０が配設されている。
【００３０】
蓋体退避部４０は、図１〜６に示すように、左形成部５０と、右形成部６０と、左下形成部７０と、右下形成部８０と、を有している。
【００３１】
左形成部５０は、左壁部２６の左端部の後側で、後壁部２５より後側に延びる前後板部５１と、前後板部５１の後端からさらに右側に延びる左右板部５２と、で上下方向からみて、略Ｌ字状に形成されている。
【００３２】
前後板部５１には、左右方向に貫通する上下方向に長い長孔状のスライド溝部５３が形成されている。
【００３３】
右形成部６０は、右壁部２７の右端部の後側で、後壁部２５より後側に延びる前後板部６１と、前後板部６１の後端からさらに左側に延びる左右板部６２と、で上下方向からみて、略逆Ｌ字状に形成されている。
【００３４】
前後板部６１には、左右方向に貫通する上下方向に長い長孔状のスライド溝部６３が形成されている。
【００３５】
左下形成部７０は、底壁部２２の左端部の後側から後壁部２５より後側に延びて形成され、左形成部５０の左右板部５２の下端部と連設されている。
【００３６】
右下形成部８０は、底壁部２２の右端部の後側から後壁部２５より後側に延びて形成され、右形成部６０の左右板部６２の下端部と連設されている。
【００３７】
本実施形態では、左形成部５０と、右形成部６０と、左下形成部７０と、右下形成部８０と、後壁部２５と、で囲まれた領域が蓋体退避部４０とされている。
【００３８】
そして、後壁部２５の受止部２５ａ、左形成部５０の前後板部５１及び左右板部５２、右形成部６０の前後板部６１及び左右板部６２、左下形成部７０、右下形成部８０が、蓋体９０の本体部９１と当接して、蓋体９０の移動を規制する蓋体規制手段１２とされる。
【００３９】
収納体２０の内部には、三つの略矩形状の仕切板３５が配設され、収納体２０内は左右方向において四つの空間に区画されている。
【００４０】
仕切板３５の前後の端部は、左右方向において仕切板３５の他の部分より幅広に形成された幅広部３５ａを有し、幅広部３５ａと、上述した長リブ３０と短リブ３１と前壁部２４と後壁部２５とを係合することで位置決めされ、収納体２０の内部の空間を区画可能とされている。
【００４１】
仕切板３５の、開口部２１側の上端部の左面には、薬Ｍの収納位置を規定する表示部３５ｂが配設されている。
【００４２】
表示部３５ｂは、左面から右面に向かって凹む凹部として形成され、凹部に印刷されたシール等を貼付して構成される。
【００４３】
本実施形態では、仕切板３５は、図４、７に参照するように、表示部３５ｂにおいて、収納体２０の四つに区画された空間毎に、例えば、上から順に日曜から土曜までの曜日と、左から順に朝、昼、夜、就寝前の服用時間帯と、が組み合されて薬Ｍの服用時期が表示されている。これにより、薬Ｍの服用時期に応じて薬Ｍの収納位置が規定され、薬Ｍの収納間違え、薬Ｍの飲み間違えを防止することができる。
【００４４】
仕切板３５には、上端から下端に向かって切り欠かれた切欠部３５ｃが配設されている。本実施形態では、切欠部３５ｃは、略半円形状に切り欠かれて形成されている。これにより、１分包化された薬Ｍを収納しているときに、仕切板３５から１分包化された薬Ｍを露出させるとともに、１分包化された薬Ｍを取り出すときに仕切板３５に指が当たることを抑制して、１分包化された薬Ｍを取り出す作業をしやすくすることができる。
【００４５】
蓋体９０は、図１〜６に示すように、自立可能な剛性を有した透明な合成樹脂（ポリプロピレン）で、矩形平板状に形成された本体部９１と、本体部９１に対して直交する方向に延びる矩形平板状の係止片部９３と、を有している。
【００４６】
蓋体９０が、覆い位置にある状態において、本体部９１の左右の端部の後端部分には、左右方向に円柱状に突設されるスライド軸部９２が配設されている。
【００４７】
スライド軸部９２は、スライド溝部５３、６３に、内側から挿入され、スライド溝部５３、６３内を上下方向に沿って移動可能とされている。
【００４８】
係止片部９３は、収納体２０の開口部２１を覆うときに規制壁部２４ｂの切欠部２４ｃに配置可能とされている。蓋体９０が覆い位置にある状態における係止片部９３の後面には、後方に突出して前壁部２４の受止部２４ａに係止可能な係止部９４が配設され、受止部２４ａに係止部９４が係止することで、蓋体９０が開口部２１を覆った状態を維持することが可能となる。
【００４９】
蓋体９０が、収納体２０に組み付けられた状態において、蓋体９０は、スライド軸部９２が、スライド溝部５３、６３の下端から上端部に至るまでの間、蓋体規制手段１２と干渉するので、回動が規制され、スライド軸部９２がスライド溝部５３、６３の上端部付近まで移動すると、蓋体規制手段１２と干渉しなくなり、左右方向を軸として蓋体９０を回動可能となり、収納体２０の開口部２１を覆うことが可能となる。
【００５０】
また、本実施形態では、図８に示すように、蓋体９０が開口部２１を覆った覆い位置にある状態において、左壁部２６と右壁部２７の上端部と、前壁部２４の受止部２４ａ及び規制壁部２４ｂ、後壁部２５の受止部２５ａと、左形成部５０の上端部と、右形成部６０の上端部と、で他の収納具１０の収納体２０を載置したときに、水平方向への移動を規制する収納具規制手段１１が構成される。
【００５１】
本実施形態における機能作用を説明する。図１、２の状態に示す、蓋体９０が収納体２０を覆っている覆い位置にある状態から、蓋体９０の係止片部９３の係止部９４と受止部２４ａとの係止状態を解除して、図６の二点鎖線に示すように、蓋体９０を回転させて開口部２１を開放させる。このとき、蓋体９０を開く動作は、上側に蓋体９０を持ち上げることになるので、蓋体９０のスライド軸部９２は、スライド溝部５３、６３の上端に位置して後側に回転し、それにともない、蓋体９０が後側に回転する。
【００５２】
蓋体９０が、図５の二点鎖線に示すように、９０度程度回転して後壁部２５に沿うように立ち上がった状態となると、蓋体９０のスライド軸部９２は、スライド溝部５３、６３の上端から下側にスライド移動し、それにともない、蓋体９０が下側にスライド移動する。このとき、蓋体９０の本体部９１は、蓋体退避部４０と干渉することなく、蓋体退避部４０内に進入していく。
【００５３】
蓋体９０のスライド軸部９２が、スライド溝部５３、６３の下端部に到達し、本体部９１の下端部となっている部分が、左下形成部７０及び右下形成部８０に当接すると、図５に示すように、蓋体９０の移動が止まり、蓋体退避部４０内への進入が完了する。換言すれば、蓋体９０が退避位置にあることになる。
【００５４】
この状態においては、後壁部２５の受止部２５ａ、左形成部５０の前後板部５１及び左右板部５２、右形成部６０の前後板部６１及び左右板部６２、左下形成部７０、右下形成部８０が、蓋体９０の本体部９１と当接して、換言すれば、蓋体規制手段１２により、蓋体９０の移動を規制する。
【００５５】
また、蓋体９０が収納体２０の開口部２１を覆っている状態における、蓋体９０の前後方向の長さは、図６に示すように、後壁部２５の上下方向の長さより長いので、蓋体９０の移動が止まった状態では、蓋体９０の上部が後壁部２５から突出して、被収納物としての１分包化（分包紙に１回分の薬Ｍをまとめてパック）された薬Ｍが乗り越えることを抑制する。
【００５６】
蓋体９０の蓋体退避部４０内への進入が完了したら、図７に示すように、机等に収納具１０を複数並べて、１分包化された薬Ｍを収納する調剤作業を行う。仕切板３５には表示部３５ｂが配設され、１分包化された薬Ｍの、服用日、服用時間帯が表示されているので、収納間違え等の調剤ミスを防止することができる。
【００５７】
調剤作業が完了したら、図５に示すように、係止片部９３を手で持ち、蓋体９０を上側にスライド移動させ、スライド軸部９２が、スライド溝部５３、６３の上端部まで移動したら、蓋体９０を前側に回転させ、蓋体９０の係止片部９３の係止部９４と受止部２４ａとを係止して、図６に示す、蓋体９０が収納体２０の開口部２１を覆っている状態とする。
【００５８】
複数の収納具１０に、１分包化された薬Ｍが収納されたら、図８に示すように、上下方向に重ね合わせて、老人ホーム等に搬送する。このとき、左壁部２６と右壁部２７の上端部と、前壁部２４の受止部２４ａ及び規制壁部２４ｂ、後壁部２５の受止部２５ａと、左形成部５０の上端部と、右形成部６０の上端部と、で構成される収納具規制手段１１により、上側に位置する他の収納具１０の収納体２０の水平方向への移動を規制する。
【００５９】
搬送先まで、複数の収納具１０が搬送されたら、収納具１０ごとに分離させ、各個人まで届けられる。収納体２０は、透明であり、表示体配置部２９に配された表示体１００により、各個人名を視認できるので、届け間違いを防止することができる。
【００６０】
そして、各個人は、上述したように、図１、２に示す、蓋体９０が収納体２０を覆っている状態から、蓋体９０の係止片部９３の係止部９４と受止部２４ａとの係止状態を解除して、図３、４に示すように、蓋体９０を回転させて開口部２１を開放させる。
【００６１】
収納具１０は、１分包化された薬Ｍを取り出すときには、仕切板３５の切欠部３５ｃにより、仕切板３５から１分包化された薬Ｍを露出させるとともに、１分包化された薬Ｍを取り出すときに仕切板３５に指が当たることを抑制して、１分包化された薬Ｍを取り出す作業をしやすくなっている。
【００６２】
１分包化された薬Ｍをすべて服用したら、収納具１０を蓋体９０が収納体２０を覆っている覆い位置にある状態とし、さらに、上下方向に重ね合わせて、調剤薬局まで搬送回収する。
【００６３】
本実施形態の収納具１０では、一端に開口部２１を有し、他端に閉塞した底壁部２２を有し、開口部２１から底壁部２２に向かって形成された周壁部２３を備えた収納体２０と、開口部２１を開閉可能な蓋体９０と、を備え、
２０収納体には、スライド溝部５３、６３が配設され、
蓋体９０には、スライド溝部５３、６３内を移動可能なスライド軸部９２が配設され、
蓋体９０は、スライド軸部９２が、スライド溝部５３、６３内で回動、移動することで、開口部２１を覆う覆い位置と、開口部２１から退避する退避位置と、に移動可能とされ、
収納体２０は、蓋体９０が退避位置にある場合に、蓋体９０を底壁部２２に対して略直交して配置可能とする蓋体退避部４０を有し、
蓋体退避部４０に、上下方向に沿って形成されたスライド溝部５３、６３が配設される。
【００６４】
これによれば、蓋体退避部４０に配設されるスライド溝部５３、６３内でスライド軸部９２が、回動、移動することで、蓋体９０を開口部２１から退避させるとともに、蓋体９０を底壁部２２に対して略直交して配置することが可能となるため、例えば、調剤作業を行うときに、平面視における作業スペースをコンパクトにすることができる。
【００６５】
また、蓋体退避部４０を含む収納体２０には、蓋体９０の移動を規制する蓋体規制手段１２が配設される。
【００６６】
これによれば、蓋体規制手段１２により蓋体９０の移動を規制できるため、蓋体９０の移動により作業が妨げられることをなくすことができる。
【００６７】
また、他の収納具１０を載置可能とされ、他の収納具１０が載置されたときに、他の収納具１０の移動を規制する収納具規制手段１１が配設されている。
【００６８】
これによれば、収納具１０を縦方向に重ね合わせて置いたときに、収納具１０の移動が規制されるため、結束部材を用いることなく、収納具１０を重ね置きして搬送することが可能となる。
【００６９】
また、収納体２０内の空間を区画する仕切板３５を備え、仕切板３５には、上端から下端に向かって切り欠いて形成された切欠部３５ｃが配設されている。
【００７０】
これによれば、１分包化された薬Ｍを収納しているときに、切欠部３５ｃにより、仕切板３５から１分包化された薬Ｍを露出させるとともに、１分包化された薬Ｍを取り出すときに仕切板３５に指が当たることを抑制して、１分包化された薬Ｍを取り出す作業をしやすくすることができる。
【００７１】
また、収納体２０は、透明な部材で形成され、収納体２０内には表示体１００を配置可能な表示体配置部２９が配設されている。
【００７２】
これによれば、表示体１００を交換することで、収納体２０に印刷を施すことなく、表示の変更要求にフレキシブルに対応することが可能となる。
【００７３】
本発明の収納具は上記構成に限定されるものではない。即ち、本発明の要旨を逸脱しない限り各種の設計変更等が可能である。
【００７４】
例えば、１分包化された薬Ｍが収納される調剤用の収納具だけでなく、被収納物は、特に限定されない、化粧品、食品、衣料品、その他の被収納物等が収納される収納具に適用することができる。
【００７５】
また、収納体２０の形状は、一端が閉塞し、他端が閉塞した、円筒状、惰円筒状、多角筒状等適宜変更することができる。
【００７６】
また、収納体２０の形状に対応して、開口部２１を覆う蓋体９０の形状を変更することができる。
【００７７】
また、蓋体退避部４０の構成も蓋体９０の形状の変更に応じて、変更することができる。
【００７８】
また、収納体２０、蓋体９０は、ポリプロピレンで形成したが、自立可能な剛性を有するのであれば、他の素材を適用することができる。表示体配置部２９を設けないのであれば、透明でない素材を用いることができる。
【符号の説明】
【００７９】
１０  収納具
１１  収納具規制手段
１２  蓋体規制手段
２０  収納体
２１  開口部
２２  底壁部
２３  周壁部
２９  表示体配置部
３５  仕切板
３５ｃ  切欠部
４０  蓋体退避部
５３  スライド溝部
６３  スライド溝部
９０  蓋体
９２  スライド軸部
１００  表示体
【図１】
2020142825.tif 000003
【図２】
2020142825.tif 000004
【図３】
2020142825.tif 000005
【図４】
2020142825.tif 000006
【図５】
2020142825.tif 000007
【図６】
2020142825.tif 000008
【図７】
2020142825.tif 000009
【図８】
2020142825.tif 000010